(57)【要約】【課題】作製者が型の高さを任意に選択することができ、作製者に適した作業環境を画一的に実現することができる工芸品用型伸縮支持装置を提供する。【解決手段】工芸品用型伸縮支持装置１は、設置面に載置される平板状の基台部２と、工芸品の型が載置されて支持される支持体５と、基台部２に対して支持体５を任意の位置まで昇降させるネジ構造またはボルト・ナット構造の昇降機構７とを有している。昇降機構７は、基台部２の上面部に直立した筒状部８と、支持体５の下面部に取り付けられて筒状部８に螺合された棒状部１２と、支持体５を留める可動ナット部１４とから構成されている。【選択図】図１
0003215121.tif 000002
【実用新案登録請求の範囲】
【請求項１】
設置面に載置される平板状の基台部と、
工芸品の型が載置されて支持される支持体と、
前記基台部に対して前記支持体を任意の位置まで昇降させる昇降機構と、を有する、
ことを特徴とする工芸品用型伸縮支持装置。
【請求項２】
前記昇降機構が、
前記基台部の上部に直立した筒状部と、
前記支持体の下部に備えられて前記筒状部に挿入された棒状部と、
前記支持体を留める位置留め部と、から構成された、
ことを特徴とする請求項１に記載された工芸品用型伸縮支持装置。
【請求項３】
前記筒状部が雌ネジ部を有し、
前記棒状部が雄ネジ部を有し、
前記位置留め部が、前記雄ネジ部に螺合した可動ナット部である、
ことを特徴とする請求項２に記載された工芸品用型伸縮支持装置。
【請求項４】
前記筒状部が、
中空の筒本体部と、
前記筒本体部の上端部に備えられた固定ナット部と、から構成された、
ことを特徴とする請求項３に記載された工芸品用型伸縮支持装置。
【請求項５】
前記基台部が位置決めされる溝部が形成された支持プレートを有する、
ことを特徴とする請求項１から請求項４のいずれか１項に記載された工芸品用型伸縮支持装置。
【請求項６】
前記基台部が、円盤状であり、
前記溝部または前記基台部の片方に磁性部材が備えられ、もう片方に金属部材が備えられた、
ことを特徴とする請求項５に記載された工芸品用型伸縮支持装置。
【請求項７】
前記工芸品がナンタケットバスケットである、
ことを特徴とする請求項１から請求項６のいずれか１項に記載された工芸品用型伸縮支持装置。
【考案の詳細な説明】
【技術分野】
【０００１】
本考案は、工芸品を作製する際に用いられる型を支持するための工芸品用型伸縮支持装置に関するものである。
【背景技術】
【０００２】
従来、米国マサチューセッツ州のナンタケット島の伝統工芸品として、ナンタケットバスケットがある。ナンタケットバスケットは、細長い扁平な籐が編み込まれて作製される。ナンタケットバスケットの作製過程では、円形や楕円形のベースプレートが型に取り付けられ、ベースプレートを中心に、型に沿って籐が編み込まれる。ベースプレートの形状や材質、型の形状は様々であるため、様々なナンタケットバスケットが存在する。例えば、下記特許文献１に記載されたナンタケットバスケットは、ベースプレートが漆塗りで装飾されている。
【先行技術文献】
【特許文献】
【０００３】
【特許文献１】登録実用新案第３２０６６２３号公報
【考案の概要】
【考案が解決しようとする課題】
【０００４】
型は、一般的に地面や作業テーブルなどに置かれるが、作製者の体格や好みによって型の配置は作製者ごとに異なり、一様ではない。また、上記したとおり、型の形状は様々である。そのため、作製者に適した作業環境を画一的に実現することは困難である。
【０００５】
本考案は、上記の実情に鑑みて提案されたものである。すなわち、作製者が型の高さを任意に選択することができ、作製者に適した作業環境を画一的に実現することができる工芸品用型伸縮支持装置の提供を目的とする。
【課題を解決するための手段】
【０００６】
上記目的を達成するために、本考案に係る工芸品用型伸縮支持装置は、設置面に載置される平板状の基台部と、工芸品の型が載置されて支持される支持体と、前記基台部に対して前記支持体を任意の位置まで昇降させる昇降機構と、を有する、ことを特徴とする。
【０００７】
本考案に係る工芸品用型伸縮支持装置は、前記昇降機構が、前記基台部の上部に直立した筒状部と、前記支持体の下部に備えられて前記筒状部に挿入された棒状部と、前記支持体を留める位置留め部と、から構成された、ことを特徴とする。
【０００８】
本考案に係る工芸品用型伸縮支持装置は、前記筒状部が雌ネジ部を有し、前記棒状部が雄ネジ部を有し、前記位置留め部が、前記雄ネジ部に螺合した可動ナット部である、ことを特徴とする。
【０００９】
本考案に係る工芸品用型伸縮支持装置は、前記筒状部が、中空の筒本体部と、前記筒本体部の上端部に備えられた固定ナット部と、から構成された、ことを特徴とする。
【００１０】
本考案に係る工芸品用型伸縮支持装置は、前記基台部が位置決めされる溝部が形成された支持プレートを有する、ことを特徴とする。
【００１１】
本考案に係る工芸品用型伸縮支持装置は、前記基台部が、円盤状であり、前記溝部または前記基台部の片方に磁性部材が備えられ、もう片方に金属部材が備えられた、ことを特徴とする。
【００１２】
本考案に係る工芸品用型伸縮支持装置は、前記工芸品がナンタケットバスケットである、ことを特徴とする。
【考案の効果】
【００１３】
本考案に係る工芸品用型伸縮支持装置は、設置面に載置される平板状の基台部と、工芸品の型が載置されて支持される支持体と、基台部に対して支持体を任意の位置まで昇降させる昇降機構とを有している。すなわち、昇降機構によって支持体の高さが変化するため、支持体に支持された型も支持体に応じて高さ方向の位置が変化する。したがって、作製者が型の高さを任意に選択することができる。このように、作製者が、自身の好みで型の種類ごとに型の高さを選択することができれば、すべての作製者に適した作業環境を、画一的に実現することができる。
【００１４】
本考案に係る工芸品用型伸縮支持装置は、昇降機構が、基台部の上部に直立した筒状部と、支持体の下部に備えられて筒状部に挿入された棒状部と、支持体を留める位置留め部とから構成されている。すなわち、棒状部が筒状部に対して昇降し、支持体が任意の高さで位置留め部によって留められる。したがって、作製者が型の高さを任意に選択することができる。
【００１５】
本考案に係る工芸品用型伸縮支持装置は、筒状部が雌ネジ部を有し、棒状部が雄ネジ部を有し、位置留め部が、雄ネジ部に螺合した可動ナット部である。すなわち、棒状部を軸として支持体を回転させることで、ネジ構造によって棒状部が筒状部に対して移動し、支持体が任意の高さに配置される。この状態で、可動ナット部が、筒状部の雌ネジ部と共にダブルナットとして作用することで、棒状部が留められる。したがって、一定の高さを容易に維持することができる。
【００１６】
本考案に係る工芸品用型伸縮支持装置は、筒状部が、中空の筒本体部と、筒本体部の上端部に備えられた固定ナット部と、から構成されている。すなわち、棒状部の雄ネジ部は、固定ナット部と螺合し、一方で、筒本体部の抵抗を受けない。この構成により、棒状部が筒状部に対して円滑に移動する。したがって、棒状部を軸として円滑に支持体を回転させることができる。
【００１７】
本考案に係る工芸品用型伸縮支持装置は、基台部が位置決めされる溝部が形成された支持プレートを有している。したがって、不本意に位置がずれるのを防ぐことができる。また、支持プレートが作業台となるため、支持プレートごと移動させることで、作製中の状態を維持したまま移動させることができる。
【００１８】
本考案に係る工芸品用型伸縮支持装置は、基台部が、円盤状であり、溝部または基台部の片方に磁性部材が備えられ、もう片方に金属部材が備えられている。すなわち、溝部において基台部を回転させることで、支持体の向きが変化し、支持体に支持された型も向きが変化する。したがって、型の向きを任意に選択することができる。また、基台部と支持プレートの溝部との接触が磁力によるものであるため、容易に基台部を回転させることができ、容易に着脱することができる。
【００１９】
本考案に係る工芸品用型伸縮支持装置は、工芸品がナンタケットバスケットである。したがって、特にナンタケットバスケットの作製において、上記した効果を発生させることができる。
【図面の簡単な説明】
【００２０】
【図１】図１は、本考案の第一実施形態に係る工芸品用型伸縮支持装置の外観斜視図である。
【図２】図２は、本考案の第一実施形態に係る工芸品用型伸縮支持装置の断面であって、図１のＡ−Ａ断面図である。
【図３】図３は、本考案の第二実施形態に係る工芸品用型伸縮支持装置の外観斜視図である。
【考案を実施するための形態】
【００２１】
以下に、本考案の第一実施形態に係る工芸品用型伸縮支持装置を図面に基づいて説明する。図１は、第一実施形態に係る工芸品用型伸縮支持装置１の外観が示され、図２は、図１のＡ−Ａ断面であって、工芸品用型伸縮支持装置１の断面が示されている。なお、図１に示されているとおり、高さ方向を上方および下方とする。
【００２２】
図１および図２に示されているとおり、工芸品用型伸縮支持装置１は、例えば地面や作業テーブル（図示省略）などの設置面に載置される平板状の基台部２と、例えばナンタケットバスケットなどの工芸品の型（図示省略）が載置されて支持される支持体５と、基台部２に対して支持体５を任意の位置まで昇降させるネジ構造、または、ボルト・ナット構造の昇降機構７とを有している。
【００２３】
基台部２は、円盤状であり、下面部に磁性部材３としての三つの永久磁石が取り付けられている。磁性部材３は、円柱状または円盤状であり、基台部２の下面部と同一面上に揃えられて埋設され、接着剤で固定されている。なお、磁性部材３の数および形状は任意である。したがって、磁性部材３は、二つであっても四つ以上であってもよい。また、磁性部材３が円環状であり、基台部２にネジで固定されていてもよい。
【００２４】
支持体５は、楕円形の平板状であり、中央に固定ボルト６が取り付けられている。固定ボルト６は、支持体５の上面部から上方に向けて突出している。支持体５の材質は、例えば、木であり、柄は木の種類や木目によって様々である。柄によっては高級なものもあり、柄は作製者の嗜好によって選択される。なお、支持体５の形状は、円形であってもよく、型が載置されるのに適した大きさであれば任意である。
【００２５】
昇降機構７は、基台部２の上面部に直立した筒状部８と、支持体５の下面部に取り付けられて筒状部８に挿入された棒状部１２と、支持体５を留める位置留め部としての可動ナット部１４とから構成されている。
【００２６】
筒状部８は、基台部２の中央から上方に向けて直立した状態で、基台部２に取り付けられている。筒状部８は、中空の筒本体部９と、この筒本体部９の上端部に取り付けられた固定ナット部１０とから構成されている。筒本体部９は、高さ方向に長手の円筒状である。固定ナット部１０は、円環状であると共に孔の内周面にネジ山が彫られて雌ネジ部１１が形成されている。固定ナット部１０は、筒本体部９よりも高さ方向に短く、孔が筒本体部９と同軸上に揃えられている。筒本体部９の内径は、固定ナット部１０の内径よりも僅かに大きく形成されている。なお、筒本体部９の外形は、作製者が把持した際に手の形に馴染む形状であって、作製者が把持し易いものであれば任意である。
【００２７】
棒状部１２は、支持体５の中央から下方に向けて伸びた状態で、支持体５に取り付けられている。棒状部１２は、高さ方向に長手であり、外周面にネジ山が彫られて雄ネジ部１３が形成されている。棒状部１２の雄ネジ部１３が、固定ナット部１０の雌ネジ部１１と螺合することで、棒状部１２は筒状部８に挿入されている。
【００２８】
可動ナット部１４は、固定ナット部１０と同径であり、筒状部８の固定ナット部１０と支持体５との間において、棒状部１２の雄ネジ部１３に螺合している。
【００２９】
上記のとおり構成された工芸品用型伸縮支持装置１は、ナンタケットバスケットの型が、支持体５の上面に載置されると共に固定ボルト６に螺合される。作製者が、型を回転させると、支持体５が、棒状部１２を軸として筒状部８に対して回転し、支持体５の高さが変化する。作製者は、好みの高さで支持体５を停止させ、可動ナット部１４を回転させて筒状部８の固定ナット部１０に締め付ける。支持体５が留められ、型が一定の高さで維持される。
【００３０】
次に、工芸品用型伸縮支持装置１の効果を説明する。
【００３１】
上記したとおり、工芸品用型伸縮支持装置１は、設置面に載置される平板状の基台部２と、ナンタケットバスケットの型が載置されて支持される支持体５と、基台部２に対して支持体５を任意の位置まで昇降させるネジ構造の昇降機構７とを有している。昇降機構７は、基台部２の上面部に直立した筒状部８と、支持体５の下面部に取り付けられて筒状部８に挿入された棒状部１２と、支持体５を留める可動ナット部１４とから構成されている。すなわち、昇降機構７のネジ構造によって、棒状部１２が筒状部８に対して移動し、支持体５の高さが変化するため、支持体５に支持された型も支持体５に応じて高さ方向の位置が変化する。したがって、作製者が型の高さを任意に選択することができる。このように、作製者が、自身の好みで型の種類ごとに型の高さを選択することができれば、すべての作製者に適した作業環境を、画一的に実現することができる。
【００３２】
また、支持体５が任意の高さに配置された状態で、可動ナット部１４が、筒状部８の雌ネジ部１１と共にダブルナットとして作用することで、棒状部１２が留められる。したがって、一定の高さを容易に維持することができる。
【００３３】
工芸品用型伸縮支持装置１は、筒状部８が、中空の筒本体部９と、この筒本体部９の上端部に取り付けられた固定ナット部１０とから構成されている。すなわち、棒状部１２の雄ネジ部１３は、固定ナット部１０と螺合し、一方で、筒本体部９の抵抗を受けない。この構成により、棒状部１２が筒状部８に対して円滑に移動する。したがって、棒状部１２を軸として円滑に支持体５を回転させることができる。
【００３４】
次に、本考案の第二実施形態に係る工芸品用型伸縮支持装置を図面に基づいて説明する。図３は、第二実施形態に係る工芸品用型伸縮支持装置２１の外観が示されている。なお、以下の説明では、第一実施形態に係る工芸品用型伸縮支持装置１と異なる構成が説明され、同様の構成は説明が適宜省略されている。
【００３５】
図３に示されているとおり、工芸品用型伸縮支持装置２１は、支持プレート１５を有している。支持プレート１５は、平板状の長方形であり、ほぼ中央に、工芸品用型伸縮支持装置２１の基台部３が位置決めされる溝部１６が形成されている。溝部１６は、基台部２の形状に倣った円形の窪みである。溝部１６は、平板状の金属部材（図示省略）が取り付けられている。この金属部材に基台部２の磁性部材３が引き寄せられて、工芸品用型伸縮支持装置２１は支持プレート１５に支持される。支持プレート１５の一部は、工芸品を作製するために用いられる工具入れが載置される工具載置部１７を有している。なお、支持プレート１５の形状は任意であり、四角形や円形であってもよい。また、溝部１６も、基台部２の形状に倣った形状であれば任意である。また、工具載置部１７の有無は任意である。他の構成は、第一実施形態と同じであるため、説明を省略する。
【００３６】
次に、工芸品用型伸縮支持装置２１の効果を説明する。なお、工芸品用型伸縮支持装置２１は、第一実施形態に係る工芸品用型伸縮支持装置１と同じ効果を奏するため、以下では、工芸品用型伸縮支持装置１と異なる効果が説明されている。
【００３７】
上記したとおり、工芸品用型伸縮支持装置２１は、支持プレート１５を有している。支持プレート１５は、ほぼ中央に、工芸品用型伸縮支持装置２１の基台部３が位置決めされる円形の溝部１６が形成されている。したがって、不本意に位置がずれるのを防ぐことができる。また、支持プレート１５が作業台となるため、支持プレート１５ごと移動させることで、作製中の状態を維持したまま移動させることができる。
【００３８】
工芸品用型伸縮支持装置２１の溝部１６は、基台部２の形状に倣った円形状であり、平板状の金属部材が取り付けられている。この金属部材に基台部２の磁性部材３が引き寄せられて、工芸品用型伸縮支持装置２１は支持プレート１５に支持される。すなわち、溝部１６において、基台部２を回転させることで、支持体５の向きが変化し、支持体５に支持された型も向きが変化する。したがって、型の向きを任意に選択することができる。また、基台部２と支持プレート１５の溝部１６との接触が磁力によるものであるため、容易に基台部２を回転させることができ、容易に着脱することができる。
【００３９】
上記した実施形態の他の実施形態として、例えば、昇降機構は、ピストンシリンダーであってもよい。また、昇降機構は、筒状部の内周面のすべてが雌ネジ部であってもよい。この場合、雌ネジ部と、棒状部の雄ネジ部との螺合が円滑となるような工夫を要する。また、筒状部および棒状部にネジ山が彫られておらず、各部と直交する孔が高さ方向に複数並列され、それぞれの孔に位置留め部としてのピンが挿入されることで支持体が留められる構成であってもよい。また、筒状部が支持体の下面部に取り付けられ、棒状部が基台部の上面部に取り付けられていてもよい。また、支持体の下面部に金属部材が取り付けられ、支持プレートの溝部に磁性部材が取り付けられた構成であってもよい。
【００４０】
以上、本考案の実施形態を詳述したが、本考案は上記実施形態に限定されるものではない。そして本考案は、実用新案登録請求の範囲に記載された事項を逸脱することがなければ、種々の設計変更を行うことが可能である。本考案は、ナンタケットバスケットの他、様々な工芸品の型が取り付けられる。
【符号の説明】
【００４１】
１、２１  工芸品用型伸縮支持装置
２    基台部
３    磁性部材
５    支持体
６    固定ボルト
７    昇降機構
８    筒状部
９    筒本体部
１０  固定ナット部
１１  雌ネジ部
１２  棒状部
１３  雄ネジ部
１４  可動ナット部（位置留め部）
１５  支持プレート
１６  溝部
１７  工具載置部
【図１】
0003215121.tif 000003
【図２】
0003215121.tif 000004
【図３】
0003215121.tif 000005